(57)【特許請求の範囲】
【請求項１】
基地局装置（１０５）によって実行される方法であって、
チャネル状態情報参照信号（ＣＳＩ−ＲＳ）を認識しない無線通信装置（１１０）（ＷＣＤ（１１０））向けの、第１の送信時間間隔（ＴＴＩ）中に発生するべき第１のデータ送信をスケジューリングすることと、
ａ）第１のオフセット値を使用して、前記第１のデータ送信向けの第１の変調符号化方式（ＭＣＳ）を選択するのか、ｂ）前記第１のオフセット値とは異なる第２のオフセット値を使用して、前記第１のデータ送信向けの第１のＭＣＳを選択するのか判定することであって、前記第１のオフセット値を使用して前記第１のＭＣＳを選択するか、前記第２のオフセット値を使用して前記第１のＭＣＳを選択するかの前記判定が、ＣＳＩ−ＲＳも、前記第１の送信時間間隔中に送信されるようにスケジューリングされているかどうかに基づいていることと、
前記第１の送信時間間隔中に送信されるように、前記ＣＳＩ−ＲＳもスケジューリングされていると判定した結果として、前記第１のオフセット値を使用して前記第１のＭＣＳを選択することと、
前記第１の送信時間間隔中に、前記選択された第１のＭＣＳを使用して、データを前記ＷＣＤ（１１０）に送信することと
を含む、方法であって、
前記第１のオフセット値を使用して前記第１のＭＣＳを選択することが、前記第１のオフセット値を使用して第１のチャネル品質値オフセット（ＣＱＶ＿ｏｆｆｓｅｔ１）を決定することを含み、
ＣＱＶ＿ｏｆｆｓｅｔ１を決定することが、ＣＱＶ＿ｏｆｆｓｅｔ＿ｏｌｄ＋ｏｆｆｓｅｔ１を計算することを含み、ＣＱＶ＿ｏｆｆｓｅｔ＿ｏｌｄは、以前に決定されたＣＱＶオフセット値であり、ｏｆｆｓｅｔ１は、前記第１のオフセット値であり、
ｏｆｆｓｅｔ１が、ＣＳＩ−ＲＳ＿ＡＣＫ＿ｏｆｆｓｅｔおよびＣＳＩ−ＲＳ＿ＮＡＣＫ＿ｏｆｆｓｅｔのうちの一方に等しく、ＣＳＩ−ＲＳ＿ＡＣＫ＿ｏｆｆｓｅｔおよびＣＳＩ−ＲＳ＿ＮＡＣＫ＿ｏｆｆｓｅｔのそれぞれが、所定のオフセット値である、
方法。
【請求項２】
前記第１のオフセット値を使用して前記第１のＭＣＳを選択することがさらに、
前記基地局と前記ＷＣＤの間のチャネルの品質を表すチャネル品質値（ＣＱＶ）を決定することと、
前記決定されたＣＱＶおよびＣＱＶ＿ｏｆｆｓｅｔ１を使用して、調整されたＣＱＶ（ＣＱＶａ）を計算することとを含む、請求項１に記載の方法。
【請求項３】
ＣＱＶａ＝ＣＱＶ＋ＣＱＶ＿ｏｆｆｓｅｔ１である、請求項２に記載の方法。
【請求項４】
前記第１のオフセット値を使用して前記第１のＭＣＳを選択することがさらに、前記調整されたチャネル品質値ＣＱＶａに基づいて前記第１のＭＣＳを選択することを含む、請求項２または３に記載の方法。
【請求項５】
ＣＱＶ＿ｏｆｆｓｅｔ１がＣＳＩ−ＲＳ＿ｏｆｆｓｅｔに等しく、ＣＳＩ−ＲＳ＿ｏｆｆｓｅｔが前記第１のオフセット値である、請求項１から４のいずれか一項に記載の方法。
【請求項６】
前記ＷＣＤ（１１０）向けの、第２の送信時間間隔中に発生するべき第２のデータ送信をスケジューリングすることと、
ａ）前記第１のオフセット値を使用して、前記第２のデータ送信向けの第２の変調符号化方式（ＭＣＳ）を選択するのか、ｂ）前記第１のオフセット値とは異なる前記第２のオフセット値を使用して、前記第２のデータ送信向けの第２のＭＣＳを選択するのか判定することであって、前記第２のデータ送信向けに前記第１のオフセット値を使用して第２のＭＣＳを選択するか、前記第２のオフセット値を使用して第２のＭＣＳを選択するかの前記判定が、ＣＳＩ−ＲＳも、前記第２の送信時間間隔中に送信されるようにスケジューリングされているかどうかに基づいていることと、
前記第２の送信時間間隔中に送信されるように、前記ＣＳＩ−ＲＳがスケジューリングされていないと判定した結果として、前記第２のオフセット値を使用して前記第２のＭＣＳを選択することと、
前記第２の送信時間間隔中に、前記選択された第２のＭＣＳを使用して、データを前記ＷＣＤに送信することと
をさらに含む、請求項１から５のいずれか一項に記載の方法。
【請求項７】
前記第２のオフセット値を使用して前記第２のＭＣＳを選択することが、前記第２のオフセット値を使用して第２のチャネル品質値オフセット（ＣＱＶ＿ｏｆｆｓｅｔ２）を決定することを含み、
ＣＱＶ＿ｏｆｆｓｅｔ２を決定することが、ＣＱＶ＿ｏｆｆｓｅｔ＿ｏｌｄ＋ｏｆｆｓｅｔ２を計算することを含み、ＣＱＶ＿ｏｆｆｓｅｔ＿ｏｌｄが、これまでに決定されたＣＱＶオフセット値であり、ｏｆｆｓｅｔ２が、前記第２のオフセット値である、請求項６に記載の方法。
【請求項８】
ｏｆｆｓｅｔ２が、ＮＯＮ−ＣＳＩ−ＲＳ＿ＡＣＫ＿ｏｆｆｓｅｔおよびＮＯＮ−ＣＳＩ−ＲＳ＿ＮＡＣＫ＿ｏｆｆｓｅｔのうちの一方に等しく、
ＮＯＮ−ＣＳＩ−ＲＳ＿ＡＣＫ＿ｏｆｆｓｅｔおよびＮＯＮ−ＣＳＩ−ＲＳ＿ＮＡＣＫ＿ｏｆｆｓｅｔのそれぞれが、所定のオフセット値であり、
ＣＳＩ−ＲＳ＿ＡＣＫ＿ｏｆｆｓｅｔ＜ＮＯＮ−ＣＳＩ−ＲＳ＿ＡＣＫ＿ｏｆｆｓｅｔであり、
ＣＳＩ−ＲＳ＿ＮＡＣＫ＿ｏｆｆｓｅｔ＜ＮＯＮ−ＣＳＩ−ＲＳ＿ＮＡＣＫ＿ｏｆｆｓｅｔである、請求項７に記載の方法。
【請求項９】
チャネル状態情報参照信号（ＣＳＩ−ＲＳ）を認識しない無線通信装置（１１０）（ＷＣＤ（１１０））向けの、第１の送信時間間隔（ＴＴＩ）中に発生するべき第１のデータ送信をスケジューリングし、
ａ）第１のオフセット値を使用して、前記第１のデータ送信向けの第１の変調符号化方式（ＭＣＳ）を選択するのか、ｂ）前記第１のオフセット値とは異なる第２のオフセット値を使用して、前記第１のデータ送信向けの第１のＭＣＳを選択するのか判定し、前記第１のオフセット値を使用して前記第１のＭＣＳを選択するか、前記第２のオフセット値を使用して前記第１のＭＣＳを選択するかの前記判定が、ＣＳＩ−ＲＳも、前記第１の送信時間間隔中に送信されるようにスケジューリングされているかどうかに基づいており、
前記第１の送信時間間隔中に送信されるように、前記ＣＳＩ−ＲＳもスケジューリングされていると判定した結果として、前記第１のオフセット値を使用して前記第１のＭＣＳを選択し、
送信機を利用して、前記第１の送信時間間隔中に、前記選択された第１のＭＣＳを使用して、データを前記ＷＣＤ（１１０）に送信する
ように設定されたコンピュータシステムを備える、基地局（１０５）であって、
前記第１のオフセット値を使用して前記第１のＭＣＳを選択することが、前記第１のオフセット値を使用して第１のチャネル品質値オフセット（ＣＱＶ＿ｏｆｆｓｅｔ１）を決定することを含み、
ＣＱＶ＿ｏｆｆｓｅｔ１を決定することが、ＣＱＶ＿ｏｆｆｓｅｔ＿ｏｌｄ＋ｏｆｆｓｅｔ１を計算することを含み、ＣＱＶ＿ｏｆｆｓｅｔ＿ｏｌｄは、以前に決定されたＣＱＶオフセット値であり、ｏｆｆｓｅｔ１は、前記第１のオフセット値であり、
ｏｆｆｓｅｔ１が、ＣＳＩ−ＲＳ＿ＡＣＫ＿ｏｆｆｓｅｔおよびＣＳＩ−ＲＳ＿ＮＡＣＫ＿ｏｆｆｓｅｔのうちの一方に等しく、ＣＳＩ−ＲＳ＿ＡＣＫ＿ｏｆｆｓｅｔおよびＣＳＩ−ＲＳ＿ＮＡＣＫ＿ｏｆｆｓｅｔのそれぞれが、所定のオフセット値である、
基地局。
【請求項１０】
前記第１のオフセット値を使用して前記第１のＭＣＳを選択することがさらに、
前記基地局と前記ＷＣＤの間のチャネルの品質を表すチャネル品質値（ＣＱＶ）を決定することと、
前記決定されたＣＱＶおよびＣＱＶ＿ｏｆｆｓｅｔ１を使用して、調整されたＣＱＶ（ＣＱＶａ）を計算することと
を含む、請求項９に記載の基地局。
【請求項１１】
ＣＱＶａ＝ＣＱＶ＋ＣＱＶ＿ｏｆｆｓｅｔ１である、請求項１０に記載の基地局。
【請求項１２】
前記第１のオフセット値を使用して前記第１のＭＣＳを選択することがさらに、前記調整されたチャネル品質値ＣＱＶａに基づいて前記第１のＭＣＳを選択することを含む、請求項１０または１１に記載の基地局。
【請求項１３】
ＣＱＶ＿ｏｆｆｓｅｔ１がＣＳＩ−ＲＳ＿ｏｆｆｓｅｔに等しく、ＣＳＩ−ＲＳ＿ｏｆｆｓｅｔが前記第１のオフセット値である、請求項９から１２のいずれか一項に記載の基地局。
【請求項１４】
前記ＷＣＤ（１１０）向けの、第２の送信時間間隔中に発生するべき第２のデータ送信をスケジューリングし、
ａ）前記第１のオフセット値を使用して、前記第２のデータ送信向けの第２の変調符号化方式（ＭＣＳ）を選択するのか、ｂ）前記第１のオフセット値とは異なる前記第２のオフセット値を使用して、前記第２のデータ送信向けの第２のＭＣＳを選択するのか判定し、前記第２のデータ送信向けに前記第１のオフセット値を使用して第２のＭＣＳを選択するか、前記第２のオフセット値を使用して第２のＭＣＳを選択するかの前記判定が、ＣＳＩ−ＲＳも、前記第２の送信時間間隔中に送信されるようにスケジューリングされているかどうかに基づいており、
前記第２の送信時間間隔中に送信されるように、前記ＣＳＩ−ＲＳがスケジューリングされていないと判定した結果として、前記第２のオフセット値を使用して前記第２のＭＣＳを選択し、
送信機を利用して、前記第２の送信時間間隔中に、前記選択された第２のＭＣＳを使用して、データを前記ＷＣＤに送信する
ように、前記コンピュータシステムがさらに動作可能である、請求項９から１３のいずれか一項に記載の基地局。
【請求項１５】
前記第２のオフセット値を使用して前記第２のＭＣＳを選択することが、前記第２のオフセット値を使用して第２のチャネル品質値オフセット（ＣＱＶ＿ｏｆｆｓｅｔ２）を決定することを含み、
ＣＱＶ＿ｏｆｆｓｅｔ２を決定することが、ＣＱＶ＿ｏｆｆｓｅｔ＿ｏｌｄ＋ｏｆｆｓｅｔ２を計算することを含み、ＣＱＶ＿ｏｆｆｓｅｔ＿ｏｌｄが、これまでに決定されたＣＱＶオフセット値であり、ｏｆｆｓｅｔ２が、前記第２のオフセット値である、請求項１４に記載の基地局。
【請求項１６】
ｏｆｆｓｅｔ２が、ＮＯＮ−ＣＳＩ−ＲＳ＿ＡＣＫ＿ｏｆｆｓｅｔおよびＮＯＮ−ＣＳＩ−ＲＳ＿ＮＡＣＫ＿ｏｆｆｓｅｔのうちの一方に等しく、
ＮＯＮ−ＣＳＩ−ＲＳ＿ＡＣＫ＿ｏｆｆｓｅｔおよびＮＯＮ−ＣＳＩ−ＲＳ＿ＮＡＣＫ＿ｏｆｆｓｅｔのそれぞれが、所定のオフセット値であり、
ＣＳＩ−ＲＳ＿ＡＣＫ＿ｏｆｆｓｅｔ＜ＮＯＮ−ＣＳＩ−ＲＳ＿ＡＣＫ＿ｏｆｆｓｅｔであり、
ＣＳＩ−ＲＳ＿ＮＡＣＫ＿ｏｆｆｓｅｔ＜ＮＯＮ−ＣＳＩ−ＲＳ＿ＮＡＣＫ＿ｏｆｆｓｅｔである、請求項１５に記載の基地局。
【発明の詳細な説明】
【技術分野】
【０００１】
本開示の各態様は、無線通信ネットワークでのリンク適応のための方法およびシステムに関する。
【背景技術】
【０００２】
ロングタームエボリューション（ＬＴＥ）は、第３世代パートナーシッププロジェクト（３ＧＰＰ）によって標準化された無線通信ネットワーク技術である。ＬＴＥ通信ネットワークは、これまでの３ＧＰＰシステムの場合のような回線交換ドメインではなくパケット交換ドメインをサポートする。したがって、データの別々の小さいブロック（たとえばパケット）を使用して、データがＬＴＥネットワーク内を移動してもよい。ＬＴＥ規格は、ダウンリンクでは直交周波数分割多重（ＯＦＤＭ）に基づいており、アップリンクでは単一搬送波周波数分割多元接続（ＳＣ−ＦＤＭＡ）に基づいている。ダウンリンクでの時間領域では、１つのサブフレームが複数のＯＦＤＭシンボルに分割される。したがって、１つのＯＦＤＭシンボルは、周波数領域での複数の副搬送波から構成されてもよい。
【０００３】
ＬＴＥでは、ユーザデータの伝送に個別チャネルは使用されない。その代わりに、ダウンリンクとアップリンクの両方に共有チャネルリソースが使用される。ダウンリンク共有チャネルおよびアップリンク共有チャネルの様々な部分を、それぞれ受信用および送信用に、様々な無線通信装置（ＷＣＤ）（たとえば、スマートフォン、タブレット、ファブレット、パーソナルコンピュータなど）に割り当てるスケジューラによって、共有リソースが制御される。
【０００４】
３ＧＰＰ規格のリリース８は、各アンテナポートに対して別々のＣＲＳシーケンスを用いて、４層までの空間多重化向けのチャネル推定に使用するように設計されたダウンリンクにおいて、セル固有の参照信号（ＣＲＳ）を取り入れた。しかし、３ＧＰＰ規格のリリース１０において８層までの空間多重化を追加すると、８層のチャネル推定が必要になった。
【０００５】
ＣＲＳを８層まで拡張すると、普通なら必要とされるよりも多くのシグナリングオーバヘッドが追加されることになるので、リリース１０では、チャネル状態情報参照信号（ＣＳＩ−ＲＳ）を取り入れている。ＣＳＩ−ＲＳは、ＣＳＩ−ＲＳ送信によってＣＲＳ測定が干渉されないよう、ＣＲＳとは異なるアンテナポート上で、基地局から送信される。さらに、ＣＲＳの場合のように時間／周波数だけを直交的に使用する代わりに、ＣＳＩ−ＲＳはさらに、符号領域の直交性を使用する。ＣＳＩ−ＲＳは、基地局が定期的に送信してもよく、測定を目的として、またリリース１０に準拠したＷＣＤによってチャネル状態の品質を推定するために使用してもよい。
【０００６】
リンク適応（ＬＡ）は、無線通信ネットワークでは重要な機能である。ＬＴＥでは、ＬＡの目的は、データ（たとえば、トランスポートブロック）をＷＣＤに送信するときに使用するための、変調符号化方式（ＭＣＳ）を選択することである。通常、ＭＣＳは、各トランスポートブロックについて選択され、このトランスポートブロックが、送信時間間隔（ＴＴＩ）ごとに送信される。
【０００７】
従来のＬＡプロセスは、チャネル品質値（たとえば、信号対干渉雑音比（ＳＩＮＲ）の推定値）およびオフセット値（ｏｆｆｓｅｔ）（このオフセット値は「アウターループ」オフセット値と呼ばれることがある）に基づいて、適切なＭＣＳを選択する。たとえば、従来のＬＡプロセスは、推定されたＳＩＮＲ（ＳＩＮＲｅ）およびアウターループオフセット値に基づいて、調整されたＳＩＮＲ（ＳＩＮＲａ）を計算し（たとえば、ＳＩＮＲａ＝ＳＩＮＲｅ＋ｏｆｆｓｅｔ）、次いでＳＩＮＲａを使用して、利用可能な１組のＭＣＳから、あるＭＣＳ（たとえばＭＣＳインデックス）を選び出す。たとえば、調整されたＳＩＮＲ（ＳＩＮＲａ）が計算されると、基地局は、ルックアップテーブルを使用して、このＳＩＮＲａに対応するＭＣＳを選択することができる。
【０００８】
チャネル品質値（たとえばＳＩＮＲ）は、ＭＣＳが選択されている対象であるＷＣＤによって基地局に報告されるチャネル状態情報（ＣＳＩ）に基づいて決定してもよい。アウターループオフセット値は、ＷＣＤが送信して基地局が受信するハイブリッド自動再送要求（ＨＡＲＱ）メッセージ（すなわち、ＨＡＲＱ  ＡＣＫまたはＨＡＲＱ  ＮＡＣＫ）に依存している。従来のＬＡプロセスは、ＨＡＲＱ  ＡＣＫまたはＨＡＲＱ  ＮＡＣＫのいずれを受信したかに応じて、ｏｆｆｓｅｔを次のように、ｏｆｆｓｅｔ＝ｏｆｆｓｅｔ＋ＡＣＫｏｆｆｓｅｔ、またはｏｆｆｓｅｔ＝ｏｆｆｓｅｔ＋ＮＡＣＫｏｆｆｓｅｔと計算する。
【発明の概要】
【０００９】
ＷＣＤ（たとえば、リリース８／９のＷＣＤ）によっては、ＣＳＩ−ＲＳの送信を認識しないものがある。このようなＷＣＤは「レガシー」ＷＣＤと呼ばれる。レガシーＷＣＤは、ＣＳＩ−ＲＳ送信を、ある特定の物理ダウンリンク共有チャネル（ＰＤＳＣＨ）のリソースエレメントにおける干渉と見なすことがある。レガシーＷＣＤはまた、ＣＳＩ−ＲＳシンボルを、それ自体のデータと解釈しようと試みることがあり、変調符号化方式（ＭＣＳ）の高い選択率を使用する状況では（たとえば、符号化の冗長度がほとんどない）、巡回冗長検査（ＣＲＣ）が常に失敗する場合がある。
【００１０】
ＣＳＩ−ＲＳサブフレームでスケジューリングされるときに、レガシーＷＣＤの性能を保護する方策をとらない場合、このようなレガシーＷＣＤの性能への影響は著しくなる場合がある。たとえば、レガシーＷＣＤでのＬＡは、ＣＳＩ−ＲＳ送信の影響を受けないＣＲＳ測定からの入力で適用されることがあり、その結果、ＭＣＳ選択があまりにも楽観的になる。次いで、ＷＣＤ向けのデータを含むＰＤＳＣＨ送信がＣＳＩ−ＲＳサブフレームでスケジューリングされると、無線チャネルの頑強性が不十分なものになり、その結果、ブロック誤り率（ＢＬＥＲ）が高くなる。ＢＬＥＲを所望のレベルに訂正するために、アウターループオフセットは、頑強性を高める方向にＭＣＳ選択をシフトしてもよい。しかし、この結果、（たとえば、全ての非ＣＳＩ−ＲＳサブフレームにおける）送信のほとんどで低すぎるＭＣＳ選択を使用して、レガシーＷＣＤがスケジューリングされ、これによってチャネルのスループットが低下することになる。
【００１１】
したがって、チャネルスループットを最大に維持しながら、ＣＳＩ−ＲＳサブフレームでスケジューリングされるとき、レガシーＷＣＤの性能に対処する必要がある。本開示は、レガシーＷＣＤについて、ＣＳＩ−ＲＳ送信がＷＣＤ向けのデータ送信と同じＴＴＩで発生するように設定されているかどうかを、ＭＣＳ選択手順が考慮に入れる解決策を提示する。このようにして、ＷＣＤへのデータの送信およびＣＳＩ−ＲＳの送信が同時に発生するように設定されると、より頑強なＭＣＳを選択することができる。たとえば、実施形態によっては、アウターループオフセット値は、ＨＡＲＱ肯定応答メッセージに依存するだけでなく、ＭＣＳが選択されている先のトランスポートブロックが、時間間隔内にＣＳＩ−ＲＳも送信されるようにスケジューリングされているＴＴＩにおいて送信されるようにスケジューリングされているかどうかにも依存する。したがって、サブフレームの残りでのＬＡの動作に影響を及ぼすことなく、ＣＳＩ−ＲＳサブフレーム用に頑強なＭＣＳを選択してもよい。
【００１２】
したがって、一態様では、基地局によって実行される方法が提供される。この方法は、無線通信装置（ＷＣＤ）向けの第１のデータ送信を基地局がスケジューリングするステップを含み、このスケジューリングされた第１のデータ送信は、第１の送信時間間隔（ＴＴＩ）中に発生する。基地局はまた、ａ）第１のオフセット値を使用する第１のデータ送信向けの、第１の変調符号化方式（ＭＣＳ）を選択するのか、ｂ）第１のオフセット値とは異なる第２のオフセット値を使用するデータ送信向けのＭＣＳを選択するのか判定する。第１のオフセット値を使用するか、それとも第２のオフセット値を使用するかのこの判定は、ある特定の参照信号（ＲＳ）（たとえば、ＣＳＩ−ＲＳ）も、第１の送信時間間隔中に送信されるようにスケジューリングされているかどうかに基づいている。基地局は、第１の送信時間間隔中に送信されるように、ある特定のＲＳもスケジューリングされていると判定した結果として、第１のオフセット値を使用する第１のＭＣＳを選択する。次いで、第１の送信時間間隔中に、基地局は、選択された第１のＭＣＳを使用して、データをＷＣＤに送信する。このようにして、頑強なＭＣＳを選択してもよい。
【００１３】
実施形態によっては、第１のオフセット値を使用する第１のＭＣＳを選択するステップは、第１のオフセット値を使用する第１のチャネル品質値オフセット（ＣＱＶ＿ｏｆｆｓｅｔ１）を決定するステップを含む。このような実施形態では、第１のオフセット値を使用する第１のＭＣＳを選択するステップはさらに、基地局とＷＣＤの間のチャネルの品質を表すチャネル品質値（ＣＱＶ）を決定するステップと、決定されたＣＱＶおよびＣＱＶ＿ｏｆｆｓｅｔ１を使用して、調整されたＣＱＶ（ＣＱＶａ）を計算するステップとを含む。実施形態によっては、ＣＱＶａ＝ＣＱＶ＋ＣＱＶ＿ｏｆｆｓｅｔ１である。実施形態によっては、第１のオフセット値を使用する第１のＭＣＳを選択するステップはさらに、調整されたチャネル品質値ＣＱＶａに基づいてＭＣＳを選択するステップを含む。
【００１４】
実施形態によっては、ＣＱＶ＿ｏｆｆｓｅｔ１を決定するステップは、ＣＱＶ＿ｏｆｆｓｅｔ＿ｏｌｄ＋ｏｆｆｓｅｔ１を計算するステップを含み、ＣＱＶ＿ｏｆｆｓｅｔ＿ｏｌｄは、これまでに決定されたＣＱＶオフセット値であり、ｏｆｆｓｅｔ１は、第１のオフセット値である。ｏｆｆｓｅｔ１は、ＣＳＩ−ＲＳ＿ＡＣＫ＿ｏｆｆｓｅｔおよびＣＳＩ−ＲＳ＿ＮＡＣＫ＿ｏｆｆｓｅｔのうちの一方に等しくてもよく、このＣＳＩ−ＲＳ＿ＡＣＫ＿ｏｆｆｓｅｔおよびＣＳＩ−ＲＳ＿ＮＡＣＫ＿ｏｆｆｓｅｔのそれぞれが、所定のオフセット値である。
【００１５】
実施形態によっては、ＣＱＶ＿ｏｆｆｓｅｔ１は、ＣＳＩ−ＲＳ＿ｏｆｆｓｅｔに等しく、ＣＳＩ−ＲＳ＿ｏｆｆｓｅｔは第１のオフセット値である。
【００１６】
実施形態によっては、この方法はさらに、ＷＣＤ（１１０）向けの第２のデータ送信をスケジューリングするステップであって、このスケジューリングされた第２のデータ送信が、第２の送信時間間隔中に発生するステップと、ａ）第１のオフセット値を使用する第２のデータ送信向けに、第２の変調符号化方式（ＭＣＳ）を選択するのか、ｂ）第１のオフセット値とは異なる第２のオフセット値を使用するデータ送信向けのＭＣＳを選択するのか判定するステップであって、第２のデータ送信向けに第１のオフセット値を使用するか、それとも第２のオフセット値を使用するかの判定が、ある特定の参照信号（ＲＳ）も、第２の送信時間間隔中に送信されるようにスケジューリングされているかどうかに基づいているステップと、第２の送信時間間隔中に送信されるように、ある特定のＲＳがスケジューリングされていないと判定した結果として、第２のオフセット値を使用する第２のＭＣＳを選択するステップと、第２の送信時間間隔中に、選択された第２のＭＣＳを使用して、データをＷＣＤに送信するステップとを含む。このような実施形態では、第２のオフセット値を使用する第２のＭＣＳを選択するステップは、第２のオフセット値を使用する第２のチャネル品質値オフセット（ＣＱＶ＿ｏｆｆｓｅｔ２）を決定するステップを含んでもよく、ＣＱＶ＿ｏｆｆｓｅｔ２を決定するステップは、ＣＱＶ＿ｏｆｆｓｅｔ＿ｏｌｄ＋ｏｆｆｓｅｔ２を計算するステップを含み、ＣＱＶ＿ｏｆｆｓｅｔ＿ｏｌｄは、これまでに決定されたＣＱＶオフセット値であり、ｏｆｆｓｅｔ２は、第２のオフセット値である。実施形態によっては、ｏｆｆｓｅｔ２は、ＮＯＮ−ＣＳＩ−ＲＳ＿ＡＣＫ＿ｏｆｆｓｅｔおよびＮＯＮ−ＣＳＩ−ＲＳ＿ＮＡＣＫ＿ｏｆｆｓｅｔのうちの一方に等しく、ＮＯＮ−ＣＳＩ−ＲＳ＿ＡＣＫ＿ｏｆｆｓｅｔおよびＮＯＮ−ＣＳＩ−ＲＳ＿ＮＡＣＫ＿ｏｆｆｓｅｔのそれぞれは、所定のオフセット値である。
【００１７】
ＣＳＩ−ＲＳ＿ＡＣＫ＿ｏｆｆｓｅｔ＜ＮＯＮ−ＣＳＩ−ＲＳ＿ＡＣＫ＿ｏｆｆｓｅｔであり、ＣＳＩ−ＲＳ＿ＮＡＣＫ＿ｏｆｆｓｅｔ＜ＮＯＮ−ＣＳＩ−ＲＳ＿ＮＡＣＫ＿ｏｆｆｓｅｔである。
【００１８】
添付図面を参照して、上記その他の態様および実施形態を以下に説明する。
【００１９】
添付図面は、本明細書に組み込まれ、またその一部分を形成し、様々な実施形態を示す。
【図面の簡単な説明】
【００２０】
【図１】いくつかの実施形態による通信ネットワークのブロック図である。
【図２】いくつかの実施形態によるプロセスを示す流れ図である。
【図３】いくつかの実施形態によるプロセスを示す流れ図である。
【図４Ａ−Ｂ】いくつかの実施形態によるプロセスを示す流れ図である。
【図５Ａ−Ｂ】いくつかの実施形態によるプロセスを示す流れ図である。
【図６】いくつかの実施形態による基地局のブロック図である。
【発明を実施するための形態】
【００２１】
本開示は、レガシーＷＣＤ（たとえば、ＣＳＩ−ＲＳが干渉と見なされるＷＣＤ）向けのＬＡ手順の改善を提示する。本明細書に開示されたＬＡ手順は、従来技術のソリューションを上回る、たとえば以下のいくつかの利点を提示する。すなわち、レガシーＷＣＤを、ＣＳＩ−ＲＳサブフレームにおいてスケジューリングしてもよく、レガシーＷＣＤの性能を、ＣＳＩ−ＲＳが送信されるセルにおいて最適化してもよく、ＣＳＩ−ＲＳサブフレームにおいてレガシーＷＣＤを効果的に取り扱うことによって、セルおよびネットワークのレベルで性能が改善することもある。
【００２２】
前述の通り、本明細書に記載したようないかなる特別な手順も用いずに、ＣＳＩ−ＲＳサブフレームにおいてレガシーＷＣＤへのデータ送信をスケジューリングすると、その結果、性能（たとえばＢＬＥＲ）が著しく劣化し、チャネルスループットが低下することがある。１つのソリューションは、ＣＳＩ−ＲＳサブフレームにおいていかなるレガシーＷＣＤもスケジューリングしないことでもよいが、このソリューションでは性能が低下する。たとえば、ＣＳＩ−ＲＳの周期が１０ｍｓになると、ピーク速度が１０％損なわれることがある。
【００２３】
本明細書に記載のＬＡ手順は、ＷＣＤへのデータ送信およびＣＳＩ−ＲＳが、同じ時間間隔スケジューリングされるかどうか判定することによって、ならびに、この判定に基づいて変調符号化方式（ＭＣＳ）を選択することによって、レガシーＷＣＤの取扱いを最適化する。たとえば、第１または第２のオフセットパラメータの使用は、ＣＳＩ−ＲＳが、レガシーＷＣＤへの送信として時間間隔内に発生するようにスケジューリングされているかどうかの判定に基づいている。
【００２４】
次に図１を参照すると、図１は、いくつかの実施形態による通信ネットワーク１００のブロック図である。図１に示すように、通信ネットワーク１００は、基地局１０５（たとえば、エボルブドＮｏｄｅＢ（ｅＮＢ））を含み、この基地局が基幹ネットワーク１５０に接続されている。基地局１０５はＷＣＤ１１０と通信してもよく、したがって、アンテナシステム１１５を介してＷＣＤ１１０と基地局１０５の間でデータを伝送してもよい。基地局１０５は、以下の機能構成要素、すなわち、設定マネージャ１２０、スケジューラ１２５、およびリンク適応モジュール１３０を含んでもよい。
【００２５】
設定マネージャ１２０は、基地局１０５が使用する設定情報を管理する（たとえば記憶する）役割を担ってもよい。実施形態によっては、この設定情報は、ある特定のセルが、特定の参照信号（たとえばＣＳＩ−ＲＳ）およびこの参照信号が送信される周期で設定されているかどうか示してもよい。スケジューラ１２５は、とりわけ、１つまたは複数のＷＣＤ１１０との間のアップリンクチャネルおよびダウンリンクチャネルにおいて、リソースをスケジューリングする役割を担っている。スケジューラ１２５の構成要素は、たとえば、特定のチャネルの信号対干渉雑音比（ＳＩＮＲ）、トラフィック量、およびサービス品質（ＱｏＳ）要求条件に基づいて、リソースを動的に割り当ててもよい。リンク適応モジュール１３０構成要素は、以下に述べるように、ＭＣＳを選択する役割を担っている。
【００２６】
図２は、ＷＣＤ１１０用のリンク適応手順のための、いくつかの実施形態によるプロセス２００を示す流れ図である。好ましい実施形態では、プロセス２００は、基地局１０５（たとえば、基地局１０５のリンク適応モジュール１３０）によって実行してもよい。
【００２７】
ステップ２０２において、基地局１０５は、スケジューラ１２５を使用して、ＷＣＤ１１０向けのデータ送信をスケジューリングし、このデータ送信が、特定のＴＴＩ中に発生するようになる。この例では、ＷＣＤ１１０はレガシーＷＣＤである。
【００２８】
ステップ２０４において、ＷＣＤ１１０がレガシーＷＣＤなので、基地局１０５は、ａ）第１のオフセット値を使用するデータ送信向けのＭＣＳを選択するのか、ｂ）第２のオフセット値を使用するデータ送信向けのＭＣＳを選択するのか判定する。第１のオフセット値を使用するか、第２のオフセット値を使用するかの判定は、ある特定の参照信号（たとえば、ＣＳＩ−ＲＳ）も、同じＴＴＩ中に送信されるようにスケジューリングされているかどうかに基づいている（たとえば、少なくともその一部に基づいている）。
【００２９】
たとえば、基地局１０５は、ＷＣＤ１１０への送信と同じＴＴＩにおいてＣＳＩ−ＲＳが送信されることになると決定されると、第１のオフセット値を使用するＭＣＳを選択するように設定されてもよく、そうでない場合、基地局１０５は、第２のオフセット値を使用するＭＣＳを選択する。このようなシナリオでは、ＭＣＳ選択プロセスにおいて第１のオフセット値を使用すると、ほとんどの場合で、ＭＣＳ選択プロセスにおいて第２のオフセット値を使用する結果として選択されるＭＣＳよりも頑強なＭＣＳを選択することにつながる。したがって、基地局１０５は、ＣＳＩ−ＲＳを利用するセル内でのレガシーＷＣＤの取扱いを最適化することができる。
【００３０】
ステップ２０６において、基地局１０５は、特定のＴＴＩ中に送信されるように、ＣＳＩ−ＲＳもスケジューリングされていると判定した結果として、第１のオフセット値を使用するＭＣＳを選択する。前述の通り、第１のオフセット値は、より頑強なＭＣＳに対応してもよい。
【００３１】
ステップ２０８において、基地局１０５は、特定のＴＴＩ中に、選択されたＭＣＳを使用してデータをＷＣＤ１１０に送信する。好ましい実施形態では、選択されたＭＣＳは、望ましいＢＬＥＲを維持する。
【００３２】
図３は、プロセス２００を実施するための、いくつかの実施形態によるプロセス３００を示す流れ図である。
【００３３】
プロセス３００はステップ２０２から開始してもよく、ここで基地局１０５は、ＷＣＤ１１０向けのデータ送信をスケジューリングし、このデータ送信は、特定のＴＴＩ中に発生するようになる。
【００３４】
ステップ３０５において、基地局は、チャネル品質値（ＣＱＶ）を取得する。好ましい一実施形態では、このＣＱＶはＳＩＮＲ推定値である。ＳＩＮＲ推定値は、ＷＣＤ１１０が基地局１０５に提供するチャネル状態情報に基づいて決定してもよい。ＷＣＤ１１０は、基地局が送信した参照信号を使用して、この基地局とＷＣＤの間のチャネルの状況を決定することによって、チャネル状態情報を取得してもよい。ステップ３１４において、基地局は、ステップ３０５で取得されたＣＱＶおよびＣＱＶ＿ｏｆｆｓｅｔ値を使用して、ステップ３０５で取得されたＣＱＶを調整する。ステップ３０６〜３１２に示すように、ステップ３１４で使用されるＣＱＶ＿ｏｆｆｓｅｔは、ＣＳＩ−ＲＳが同じＴＴＩで送信されるようにスケジューリングされているかどうかに依存する（ＷＣＤ１００はレガシーＷＣＤであると仮定する）。本明細書でさらに説明するように、ＣＱＶ＿ｏｆｆｓｅｔはまた、ＷＣＤからの最後のＨＡＲＱ肯定応答メッセージがＡＣＫなのか、それともＮＡＣＫなのかなど、他の要因に依存することがある。
【００３５】
ステップ３０６において、基地局１０５は、ＷＣＤ１１０がレガシーＷＣＤかどうか判定する。基地局１０５は、ＷＣＤ１１０が最初にネットワークに取り付けられたときに提示した設定情報に基づいて、これを判定してもよい。ＷＣＤ１１０がレガシーＷＣＤでない場合、ステップ３１２が実行されることになる。ステップ３０８において、基地局１０５は、ＣＳＩ−ＲＳが同じ特定のＴＴＩにおいて送信されるように設定されているかどうか判定する。このＣＳＩ−ＲＳが同じＴＴＩにおいて送信されるように設定されていない場合、ステップ３１２が実行され、そうでない場合、ステップ３１０が実行されることになる。
【００３６】
ステップ３１４において、基地局１０５は、ステップ３０５で取得されたＣＱＶ、およびステップ３１０または３１２で計算されたＣＱＶ＿ｏｆｆｓｅｔを使用して、調整されたＣＱＶ（ＣＱＶａ）を取得する。たとえば、基地局は以下のように計算する。ＣＱＶａ＝ＣＱＶ＋ＣＱＶ＿ｏｆｆｓｅｔである。
【００３７】
ステップ３１６において、基地局１０５は、ＣＱＶａを使用して、ＷＣＤのデータ送信に向けたＭＣＳを選択する。たとえば、基地局１０５は、ＣＱＶａ値をＭＣＳインデックスにマッピングする、ルックアップテーブルまたは他のデータ構造を有してもよい。次いで、基地局１０５は、ＭＣＳを使用して、データをＷＣＤに送信する。
【００３８】
図４Ａおよび４Ｂには、それぞれステップ３１０および３１２を実装してもよい例示的な方式が示してある。
【００３９】
図４Ａに示すように、ステップ３１０はステップ４０２から開始してもよく、ここで、基地局１０５は、ＷＣＤ１０１によって送信されたＨＡＲＱ肯定応答（ａｃｋ）メッセージ（たとえば、直近のＨＡＲＱ  ａｃｋメッセージ、またはＣＳＩ−ＲＳサブフレーム中にＷＣＤに送信されたトランスポートブロックに応答して送信された直近のＨＡＲＱ  ａｃｋメッセージ）が、ＡＣＫだったのか、それともＮＡＣＫだったのか判定する。これがＡＣＫであった場合は、ステップ４０４が実行され、これがＮＡＣＫであった場合には、ステップ４０６が実行される。
【００４０】
ステップ４０４において、基地局１０５は、ＣＳＩ−ＲＳ＿ＡＣＫ＿ｏｆｆｓｅｔ値を使用して、ＣＱＶ＿ｏｆｆｓｅｔを計算する。具体的には、実施形態によっては、基地局１０５は以下の通り計算する。ＣＱＶ＿ｏｆｆｓｅｔ＝ＣＱＶ＿ｏｆｆｓｅｔ＿ｏｌｄ＋ＣＳＩ−ＲＳ＿ＡＣＫ＿ｏｆｆｓｅｔであり、ここで、ＣＱＶ＿ｏｆｆｓｅｔ＿ｏｌｄは、これまでに決定されたＣＱＶオフセット値である（たとえば、ＷＣＤに一義的に関連付けられている、これまでに決定されたＣＱＶ＿ｏｆｆｓｅｔ値）。実施形態によっては、ＣＱＶ＿ｏｆｆｓｅｔ＿ｏｌｄ＝０であり、したがって、ＣＱＶ＿ｏｆｆｓｅｔ＝ＣＳＩ−ＲＳ＿ＡＣＫ＿ｏｆｆｓｅｔである。
【００４１】
ステップ４０６において、基地局１０５は、ＣＳＩ−ＲＳ＿ＮＡＣＫ＿ｏｆｆｓｅｔ値を使用して、ＣＱＶ＿ｏｆｆｓｅｔを計算し、この値は、ＣＳＩ−ＲＳ＿ＡＣＫ＿ｏｆｆｓｅｔ値と同じでもよく、または異なっていてもよい。具体的には、基地局１０５は以下の通り計算する。ＣＱＶ＿ｏｆｆｓｅｔ＝ＣＱＶ＿ｏｆｆｓｅｔ＿ｏｌｄ＋ＣＳＩ−ＲＳ＿ＮＡＣＫ＿ｏｆｆｓｅｔである。
【００４２】
図４Ｂに示すように、ステップ３１２はステップ４０８から開始してもよく、ここで、基地局１０５は、ＷＣＤ１０１によって送信されたＨＡＲＱ  ａｃｋメッセージ（たとえば、直近のＨＡＲＱ  ａｃｋメッセージ、または非ＣＳＩ−ＲＳサブフレーム中にＷＣＤに送信されたトランスポートブロックに応答して送信された直近のＨＡＲＱ  ａｃｋメッセージ）が、ＡＣＫだったのか、それともＮＡＣＫだったのか判定する。これがＡＣＫであった場合は、ステップ４１０が実行され、これがＮＡＣＫであった場合には、ステップ４１２が実行される。
【００４３】
ステップ４１０において、基地局１０５は、ＮＯＮ−ＣＳＩ−ＲＳ＿ＡＣＫ＿ｏｆｆｓｅｔ値を使用して、ＣＱＶ＿ｏｆｆｓｅｔを計算する。具体的には、基地局１０５は以下の通り計算する。ＣＱＶ＿ｏｆｆｓｅｔ＝ＣＱＶ＿ｏｆｆｓｅｔ＋ＮＯＮ−ＣＳＩ−ＲＳ＿ＡＣＫ＿ｏｆｆｓｅｔである。
【００４４】
ステップ４１２において、基地局１０５は、ＮＯＮ−ＣＳＩ−ＲＳ＿ＮＡＣＫ＿ｏｆｆｓｅｔ値を使用して、ＣＱＶ＿ｏｆｆｓｅｔを計算し、この値は、ＮＯＮ−ＣＳＩ−ＲＳ＿ＡＣＫ＿ｏｆｆｓｅｔ値と異なっている。具体的には、基地局１０５は以下の通り計算する。ＣＱＶ＿ｏｆｆｓｅｔ＝ＣＱＶ＿ｏｆｆｓｅｔ＋ＣＳＩ−ＲＳ＿ＮＡＣＫ＿ｏｆｆｓｅｔである。実施形態によっては、ＮＯＮ−ＣＳＩ−ＲＳ＿ＡＣＫ＿ｏｆｆｓｅｔは正の値であるが、ＮＯＮ−ＣＳＩ−ＲＳ＿ＮＡＣＫ＿ｏｆｆｓｅｔは負の値である。
【００４５】
ステップ４１０／４１２の後に必ず発生するステップ４１３において、基地局１０５は、ＣＱＶ＿ｏｆｆｓｅｔ＿ｏｌｄをＣＱＶ＿ｏｆｆｓｅｔに等しくなるよう設定する。
【００４６】
好ましくは、ＣＳＩ−ＲＳ＿ＡＣＫ＿ｏｆｆｓｅｔは、ＮＯＮ−ＣＳＩ−ＲＳ＿ＡＣＫ＿ｏｆｆｓｅｔよりも小さい。同様に、ＣＳＩ−ＲＳ＿ＮＡＣＫ＿ｏｆｆｓｅｔは、ＮＯＮ−ＣＳＩ−ＲＳ＿ＮＡＣＫ＿ｏｆｆｓｅｔよりも小さいことが好ましい。このようにして、ステップ３１０が実行されるときに選択されるＭＣＳは、ステップ３１２が実行されるときに選択されるＭＣＳよりも頑強になる傾向にある。
【００４７】
図５Ａおよび５Ｂには、それぞれステップ３１０および３１２を実装してもよい別の例示的な方式が示してある。
【００４８】
図５Ａに示すように、ステップ３１０はステップ５０２から開始してもよく、ここで、基地局１０５は、ＷＣＤ１０１によって送信されたＨＡＲＱ肯定応答メッセージが、ＡＣＫだったのか、それともＮＡＣＫだったのか判定する。これがＡＣＫであった場合は、ステップ５０４が実行され、そうでなかった場合には、ステップ５０６が実行される。
【００４９】
ステップ５０４において、基地局１０５は以下の通り計算する。ＣＳＩ−ＲＳ＿ｏｆｆｓｅｔ＝ＣＳＩ−ＲＳ＿ｏｆｆｓｅｔ＋ＡＣＫ＿ｏｆｆｓｅｔであり、ここでＣＳＩ−ＲＳ＿ｏｆｆｓｅｔは、ＷＣＤに関連付けられたオフセット値でもよい。
【００５０】
ステップ５０６において、基地局１０５は以下の通り計算する。ＣＳＩ−ＲＳ＿ｏｆｆｓｅｔ＝ＣＳＩ−ＲＳ＿ｏｆｆｓｅｔ＋ＮＡＣＫ＿ｏｆｆｓｅｔである。
【００５１】
ステップ５０７において、基地局は、ＣＱＶ＿ｏｆｆｓｅｔをＣＳＩ−ＲＳ＿ｏｆｆｓｅｔに等しくなるよう設定する。
【００５２】
図５Ｂに示すように、ステップ３１２はステップ５０８から開始してもよく、ここで、基地局１０５は、ＷＣＤ１０１によって送信されたＨＡＲＱ肯定応答メッセージが、ＡＣＫだったのか、それともＮＡＣＫだったのか判定する。これがＡＣＫであった場合は、ステップ５１０が実行され、そうでなかった場合には、ステップ５１２が実行される。
【００５３】
ステップ５１０において、基地局１０５は以下の通り計算する。ＮＯＮ−ＣＳＩ−ＲＳ＿ｏｆｆｓｅｔ＝ＮＯＮ−ＣＳＩ−ＲＳ＿ｏｆｆｓｅｔ＋ＡＣＫ＿ｏｆｆｓｅｔであり、ここでＮＯＮ−ＣＳＩ−ＲＳ＿ｏｆｆｓｅｔは、やはりＷＣＤに関連付けられたオフセット値でもよい。
【００５４】
ステップ５１２において、基地局１０５は以下の通り計算する。ＮＯＮ−ＣＳＩ−ＲＳ＿ｏｆｆｓｅｔ＝ＮＯＮ−ＣＳＩ−ＲＳ＿ｏｆｆｓｅｔ＋ＮＡＣＫ＿ｏｆｆｓｅｔである。
【００５５】
ステップ５１３において、基地局は、ＣＱＶ＿ｏｆｆｓｅｔをＮＯＮ−ＣＳＩ−ＲＳ＿ｏｆｆｓｅｔに等しくなるよう設定する。
【００５６】
好ましくは、ＣＳＩ−ＲＳ＿ｏｆｆｓｅｔは、ＮＯＮ−ＣＳＩ−ＲＳ＿ｏｆｆｓｅｔよりも小さい。このようにして、ステップ３１０が実行されるときに選択されるＭＣＳは、ステップ３１２が実行されるときに選択されるＭＣＳよりも頑強になる傾向にある。
【００５７】
図６は、いくつかの実施形態による基地局１０５のブロック図である。図６に示すように、基地局装置１０５は、１つもしくは複数のプロセッサ６０３（たとえばマイクロプロセッサ）および／または特定用途向け集積回路（ＡＳＩＣ）、フィールドプログラマブルゲートアレイ（ＦＰＧＡ）、論理回路など、１つもしくは複数の回路を含んでもよいコンピュータシステム（ＣＤ）６０２と、基地局１０５をネットワーク１６０に接続するネットワークインターフェース６０６と、アンテナ１１６を介して無線信号を送受信するための送信機および受信機を含む無線送受信機６０７と、１つもしくは複数の不揮発性記憶装置、および／または１つもしくは複数の揮発性記憶装置（たとえばランダムアクセスメモリ（ＲＡＭ））を含んでもよいデータ記憶システム６１２とを備えてもよく、またはこれらから構成されてもよい。
【００５８】
基地局１０５がプロセッサ６０３を備える実施形態では、コンピュータプログラム製品（ＣＰＰ）６６１を提供してもよい。ＣＰＰ６６１は、本明細書に記載のステップ（たとえば、流れ図に示した各ステップのうちの１つまたは複数）を実行するためのコンピュータ読取り可能な命令（ＣＲＩ）６６４を含むコンピュータプログラム（ＣＰ）６６３を記憶する、コンピュータ読取り可能な媒体（ＣＲＭ）６６２を含むか、またはそのものである。ＣＰ６６３は、オペレーティングシステム（ＯＳ）および／またはアプリケーションプログラムを含んでもよい。ＣＲＭ６６２は、たとえば、磁気媒体（たとえばハードディスク）、光媒体（たとえばＤＶＤ）、固体デバイス（たとえば、ランダムアクセスメモリ（ＲＡＭ）、フラッシュメモリ）などだがこれらに限定されない、持続的なコンピュータ読取り可能な媒体を含んでもよい。
【００５９】
実施形態によっては、ＣＰ６６３のＣＲＩ６６４は、コンピュータシステム６０２によって実行されると、このＣＲＩによって、基地局１０５が、前述の各ステップ（たとえば、各図面に示した流れ図を参照して先に説明した各ステップ）を実行できるように設定される。他の実施形態では、基地局装置１０５は、コンピュータプログラムを必要とせずに、本明細書に記載の各ステップを実行するように設定してもよい。すなわち、たとえば、コンピュータシステム６０２は、もっぱら１つまたは複数のＡＳＩＣから構成されてもよい。したがって、本明細書に記載の実施形態の特徴は、ハードウェアおよび／またはソフトウェアで実装してもよい。
【００６０】
様々な実施形態をこれまで説明してきたが、これらは、ほんの一例として提示されたものであって、限定的なものではないことを理解されたい。したがって、本開示の幅および範囲は、前述の例示的な実施形態のいずれによっても限定すべきではない。さらに、本明細書において別段の定めがない限り、または文脈から明らかに矛盾しない限り、その考えられる全ての変形形態における前述の各要素のどんな組合せも本開示に包含される。
【００６１】
さらに、これまで説明され、各図面に示してある各プロセスが、一連のステップとして示してあるが、これはもっぱら説明を目的としてなされたものである。したがって、何らかのステップを加えてもよく、何らかのステップを省いてもよく、各ステップの順序を再構成してもよく、また何らかのステップを並列に実行してもよいことが企図される。
【図１】
0006538207.tif 000002
【図２】
0006538207.tif 000003
【図３】
0006538207.tif 000004
【図４Ａ−Ｂ】
0006538207.tif 000005
【図５Ａ−Ｂ】
0006538207.tif 000006
【図６】
0006538207.tif 000007